(57)【要約】【課題】口下手で、自己ＰＲが苦手な人でも、自分が気に入った人を選択し、スピーディに、１対１で出会いの機会を得ることができる出会い支援システムを提供することを目的とする。【解決手段】サーバ装置１と、クライアント装置とがネットワークを介して接続されてなり、オークションにより出会う相手を決める出会い支援システムであって、サーバ装置１は、クライアント装置からのオークション選択要求により会員情報を送信する処理と、入札者のクライアント装置から送信された被入札者の識別情報及び被入札者に対する入札金額を、入札者の識別情報とともにオークションデータベースに格納する処理と、オークション期間の経過後において入札金額に基づき落札者、被落札者、及び落札金額を決定する処理と、落札者のクライアント装置に被落札者への連絡情報を送信する処理とを行うオークション処理部１３を具備する。【選択図】図２
2009064245.tif 000002
【特許請求の範囲】
【請求項１】
サーバ装置と、クライアント装置とがネットワークを介して接続されてなり、オークションにより出会いの相手を決める出会い支援システムであって、
前記サーバ装置は、
会員の会員情報を格納する会員情報データベースと、
前記オークションにおいて前記会員の中から選択された被入札者の識別情報、及び前記被入札者に対する入札金額を、前記被入札者を選択した入札者の識別情報とともに格納するオークションデータベースと、
前記会員のクライアント装置からのオークション選択要求により前記会員情報を送信する処理と、前記オークションにおいて前記入札者のクライアント装置から送信された前記被入札者の識別情報及び該被入札者に対する入札金額を、前記入札者の識別情報とともに前記オークションデータベースに格納する処理と、前記オークション期間の経過後において、前記入札金額に基づき、落札者、被落札者、及び落札金額を決定する処理と、前記落札者のクライアント装置に前記被落札者への連絡情報を送信する処理とを行うオークション処理部とを具備し、
前記クライアント装置は、
前記サーバ装置に情報を送信する送信手段と、
前記サーバ装置から送信された情報を受信する受信手段と、
前記受信したサーバ装置からの情報を表示する表示手段とを具備する
ことを特徴とする出会い支援システム。
【請求項２】
前記オークション処理部は、前記オークション選択要求により、前記会員情報データベースに格納された会員情報のうちから前記オークションへの展示を希望する会員の会員情報を出品者情報として抽出し、送信する処理を行うことを特徴とする請求項１記載の出会い支援システム。
【請求項３】
前記オークション処理部は、前記クライアント装置の表示手段が前記出品者情報を前記出品者一人ずつ、かつ前記出品者一人あたり所定の時間継続して表示させ続けられるように、前記出品者情報を送信することを特徴とする請求項２記載の出会い支援システム。
【請求項４】
前記オークション処理部は、前記オークション選択要求を行う会員が男性の場合、女性の前記出品者情報を選択して送信し、前記オークション選択要求を行う会員が女性の場合、男性の前記出品者情報を選択して送信する処理を行うことを特徴とする請求項２又は３の何れか一項に記載の出会い支援システム。
【請求項５】
前記オークション処理部は、前記入札者と前記被入札者との相性を前記会員情報に基づきチェックする処理を行うことを特徴とする請求項１乃至４の何れか一項に記載の出会い支援システム。
【請求項６】
前記オークション処理部は、前記オークションの期間の経過後において、同一の前記被入札者に対する前記入札金額の最高値を提示した前記入札者を前記落札者とし、対応する前記被入札者を前記被落札者とし、及び前記入札金額の最高値を落札金額として決定する処理を行うことを特徴とする請求項１乃至５の何れか一項に記載の出会い支援システム。
【請求項７】
クライアント装置をネットワークを介してサーバ装置と接続し、オークションにより出会いの相手を決める出会い支援システムを構成する手順と、
前記クライアント装置を所有し、出会いを希望する者を会員として登録し、該会員の会員情報を前記サーバ装置に格納する手順と、
前記会員からのオークション選択要求により、前記サーバ装置から前記会員情報を前記会員に送信する手順と、
前記送信された会員情報を基に前記会員のうちから選択された被入札者の識別情報、及び前記被入札者に対する入札金額を、入札者のクライアント装置から前記サーバ装置に送信する手順と、
前記入札者の識別情報、前記被入札者の識別情報及び前記入札金額を前記サーバ装置に格納する手順と、
前記オークション期間の経過後において、前記入札金額に基づき、落札者、被落札者及び落札金額を決定する手順と、
前記落札金額の入金確認後に前記落札者のクライアント装置に前記被落札者への連絡情報を送信する手順と
を有することを特徴とする出会い支援方法。
【請求項８】
前記オークション選択要求により、前記サーバ装置に格納された会員情報のうちから前記オークションへの展示を希望する会員の会員情報を出品者情報として抽出し、送信することを特徴とする請求項７記載の出会い支援方法。
【発明の詳細な説明】
【技術分野】
【０００１】
本発明は、出会い支援システム及び出会い支援方法に関し、より詳しくは、異性或いは同性の友達を作るための出会い、異性と交際するための出会い、又は結婚のための出会いを支援する出会い支援システム及び出会い支援方法に関する。
【背景技術】
【０００２】
従来、異性或いは同性の友達を作るための出会い、異性と交際するための出会い、又は結婚のための出会いを求めて、種々の方法が試みられている。一番ポピュラーで昔から行われている方法では、男女のグループが集まり、ハイキングや飲み会を催して参加者相互の出会いを図る方法がある。
【０００３】
最近では、出会いを支援する主宰者が管理するサーバ装置を中心にネットワークを形成して、パソコンや携帯電話（クライアント装置）を持つ利用者相互の出会いを図る方法がある。下記特許文献１、２、３には、コンピュータネットワークを利用した種々の出会い支援システム及び出会い支援方法が開示されている。
【特許文献１】特開２００２−２０７８４２号公報
【特許文献２】特開２００２−００７７６０号公報
【特許文献３】特開２００２−００７６０９号公報
【発明の開示】
【発明が解決しようとする課題】
【０００４】
しかしながら、グループ交際ではその場だけで終わってしまうことが多く、気に入った者同士の１対１の交際に発展することは難しい。特に、口下手で、自己ＰＲが苦手な人はなおさらである。また、コンピュータネットワークを利用した種々の出会い支援においては、相手と何度も何度もやり取りし、１年前後、或いはそれ以上の時間をかけてやっと会えるという事例も多い。
【０００５】
本発明の目的は、口下手で、自己ＰＲが苦手な人でも、自分が気に入った人を選択し、スピーディに、１対１で出会いの機会を得ることができる出会い支援システム及び出会い支援方法を提供することにある。
【課題を解決するための手段】
【０００６】
本発明の一観点によれば、サーバ装置と、クライアント装置とがネットワークを介して接続されてなり、オークションにより出会いの相手を決める出会い支援システムであって、前記サーバ装置は、会員の会員情報を格納する会員情報データベースと、前記オークションにおいて前記会員の中から選択された被入札者の識別情報、及び前記被入札者に対する入札金額を、前記被入札者を選択した入札者の識別情報とともに格納するオークションデータベースと、前記会員のクライアント装置からのオークション選択要求により前記会員情報を送信する処理と、前記オークションにおいて前記入札者のクライアント装置から送信された前記被入札者の識別情報及び該被入札者に対する入札金額を、前記入札者の識別情報とともに前記オークションデータベースに格納する処理と、前記オークション期間の経過後において、前記入札金額に基づき、落札者、被落札者、及び落札金額を決定する処理と、前記落札者のクライアント装置に前記被落札者への連絡情報を送信する処理とを行うオークション処理部とを具備し、前記クライアント装置は、前記サーバ装置に情報を送信する送信手段と、前記サーバ装置から送信された情報を受信する受信手段と、前記受信したサーバ装置からの情報を表示する表示手段とを具備することを特徴とする出会い支援システムが提供される。
【０００７】
以上の構成の本発明の出会い支援システムによれば、出会い支援の主宰者が管理するサーバ装置は、クライアント装置からのオークション選択要求により会員情報を送信する処理と、送信された会員情報を基に選択された被入札者の識別情報、及び被入札者に対する入札金額をオークションデータベースに格納する処理と、オークションの期間の経過後において特定の被入札者に対する落札者を入札金額に基づき決定する処理とを行うオークション処理部を備えている。
【０００８】
したがって、出会いの相手として自分が気に入った人をオークションで競り落とすことにより、その人を自分の意思で選択することができる。
【０００９】
さらに、オークション処理部は、さらにオークションの期間の経過後において入札金額に基づき落札者、被落札者、及び落札金額を決定する処理と、落札者のクライアント装置に被落札者への連絡情報を送信する処理とを行う。オークションの期間経過後に直ちに被落札者が決まり、かつ被落札者が決まった後、落札者は短期間のうちに被落札者に連絡を取ることができる。これにより、スピーディに、１対１で出会いの機会を得ることができる。
【００１０】
本発明の他の一観点によれば、クライアント装置をネットワークを介してサーバ装置と接続し、オークションにより出会いの相手を決める出会い支援システムを構成する手順と、前記クライアント装置を所有し、出会いを希望する者を会員として登録し、該会員の会員情報を前記サーバ装置に格納する手順と、前記会員からのオークション選択要求により、前記サーバ装置から前記会員情報を前記会員に送信する手順と、前記送信された会員情報を基に前記会員のうちから選択された被入札者の識別情報、及び前記被入札者に対する入札金額を、入札者のクライアント装置から前記サーバ装置に送信する手順と、前記入札者の識別情報、前記被入札者の識別情報及び前記入札金額を前記サーバ装置に格納する手順と、前記オークション期間の経過後において、前記入札金額に基づき、落札者、被落札者及び落札金額を決定する手順と、前記落札金額の入金確認後に前記落札者のクライアント装置に前記被落札者への連絡情報を送信する手順とを有することを特徴とする出会い支援方法が提供される。
【００１１】
以上の構成の本発明の出会い支援方法によれば、クライアント装置からのオークション選択要求により、クライアント装置に会員（出品者）の会員情報（出品者情報）を送信する手順と、出品者情報を基に入札者が選択した出品者である被入札者に対する入札金額を入札者のクライアント装置からサーバ装置に送信する手順と、オークションの期間の経過後において、入札金額に基づき落札者、及び被落札者を決定する手順とを有する。
【００１２】
すなわち、出会いの相手として自分が気に入った人をオークションで競り落とすことにより、出会いの相手を自分の意思で選択することができる。
【００１３】
また、オークションの期間の経過後において、入札金額に基づき落札者及び被落札者（出会いの相手）を決定する手順と、落札金額の入金確認後に落札者のクライアント装置に被落札者への連絡情報を送信する手順とを有する。
【００１４】
このように、オークションの期間経過後に直ちに出会いの相手が決まり、かつ出会いの相手が決まった後、落札者は短期間のうちに出会いの相手に連絡を取ることができる。これにより、スピーディに、１対１で出会いの機会を得ることができる。
【発明の効果】
【００１５】
本発明の出会い支援システムによれば、出会い支援の主宰者が管理するサーバ装置は、オークションにより被落札者（出会いの相手）を決定する処理と、オークションの期間の経過後において落札者のクライアント装置に出会いの相手への連絡情報を送信する処理とを行うオークション処理部を備えているため、出会いの相手として自分が気に入った人を自分の意思で選択することができ、かつ、口下手で、自己ＰＲの苦手な人でも、スピーディに、１対１で出会いの機会を得ることができる。
【００１６】
また、本発明の出会い支援方法によれば、オークションにより出会いの相手を決定する手順と、オークションの期間の経過後において落札者のクライアント装置に出会いの相手への連絡情報を送信する手順とを有するため、出会いの相手として自分が気に入った人を自分の意思で選択することができ、かつ、口下手で、自己ＰＲの苦手な人でも、スピーディに、１対１で出会いの機会を得ることができる。
【発明を実施するための最良の形態】
【００１７】
以下に、本発明の実施形態を図面に基づいて説明する。
【００１８】
（第１の実施の形態）
図１乃至図３を参照して、本発明の第１の実施形態に係る出会い支援システムの構成について以下に説明する。
【００１９】
図１は、本発明の第１の実施形態に係る出会い支援システムの全体の構成を示す模式図である。
【００２０】
図２は、図１のサーバ装置１を示すブロック図である。
【００２１】
図３（ａ）は、図１のクライアント装置（ＰＣ、ＰＤＡ）３ａ、３ｂを示すブロック図であり、図３（ｂ）は、図１のクライアント装置（携帯電話）４ａ、４ｂを示すブロック図である。
【００２２】
（出会い支援システムの全体の構成）
本発明の第１の実施形態に係る出会い支援システムは、図１に示すように、出会い支援の主宰者（例えば、「しあわせ倶楽部」と称する。）が管理するサーバ装置１と、顧客である複数のクライアント装置（ＰＣ(Personal Computer)、ＰＤＡ(携帯情報端末：Personal Digital Assistant)）３ａ、３ｂ、及びクライアント装置（携帯電話）４ａ、４ｂとをネットワーク２を介して接続し、構成されている。ネットワーク２は、インターネットなどが挙げられる。
【００２３】
この出会い支援システムは、以下で説明するように、オークション（競争入札）により出会う相手を決められるように構成されている。
【００２４】
（サーバ装置の構成）
出会い支援システムを構成するサーバ装置１は、図２に示すように、各種データベースと制御部１１とを備えている。さらに、ネットワーク２に接続して通信を制御するための通信制御インターフェース（通信制御ＩＦ）２５を備えている。これらは、各種データ、アドレス情報、制御信号などをサーバ装置内で相互に転送可能なように、内部バスを介して相互に接続されている。以下、データベースを表す場合、ＤＢと表示する。
【００２５】
以下に、サーバ装置１の構成要素について詳しく説明する。
【００２６】
各種データベースは、会員情報ＤＢ１９と、オークションＤＢ２０と、落札情報ＤＢ２１と、会員書込みＤＢ２２と、メッセージＤＢ２３と、WebＤＢ２４とがある。また、制御部１１は、登録処理部１２と、オークション処理部１３と、落札情報リスト作成処理部１４と、会員書込み処理部１５と、メッセージ処理部１６と、Webデータ生成部１７と、検索処理部１８とがある。
【００２７】
なお、上記各構成要素は、機能概念的なもので、物理的にはさらに統合されたり、分割されたりする場合もある。また、上記構成要素はこの実施形態の説明に必要な構成要素であり、サーバ装置１として一般的に必要な構成要素は省略している。
【００２８】
会員情報ＤＢ１９は、出会いを希望する者であって会員として登録された者の会員情報を格納する。会員情報フォーマット５５は、図１０に示すように、会員に関するデータの格納部と、当該データを他人（会員を含む）に公開するか否かを選択したフラグ情報（表示可否）の格納部とで構成される。データは、例えば、会員ＩＤ（会員識別情報）、パスワード（ＰＷ）、氏名、生年月日、年齢、性別、血液型、未婚・既婚の別、住所、携帯電話番号（ＴＥＬ（携帯））、宅内電話番号（ＴＥＬ（宅内））、メールアドレス（携帯）、メールアドレス（PC、PDA）、勤務先名、勤務先住所、勤務先電話番号（ＴＥＬ（勤務先））、振込先銀行名・支店名・口座番号、職業、趣味、特技、容姿（身長、体型などを含む）、オークションへの展示用の写真の有無、自己ＰＲ、相手への希望、好みのタイプ、被入札者になった場合の希望落札金額、入札者になった場合に並行して入札できる上限の人数である入札希望人数、オークションに出品したときに継続して展示を希望する日数である入札展示日数、自分を入札の対象としてオークションに展示するか否かの何れか一を選択した情報である展示可否がある。
【００２９】
表示可否欄の×印は、他人には該当データを非公開にすることを示す。また、展示可否が×であれば、自分を入札の対象としてオークションに展示しないことを表す。会員情報は、例えば、図６のハイパーテキストで表示されたホームページで「更新」を選択して、図９と同様な、既にデータが書き込まれた会員情報更新フォーマットを開き、任意のデータを更新することができる。
【００３０】
オークションＤＢ２０は、出品者情報と、入札者の識別情報、被入札者の識別情報、及び入札者が提示した被入札者に対する入札金額とを格納する。出品者情報は、会員情報のうちから抽出された、オークションに展示し入札の対象とすることを希望する会員（出品者）の会員情報である。入札者の識別情報は、オークションにおいて、出品者情報を基に出品者のうちから少なくとも一人を入札した会員の会員ＩＤ（入札者ＩＤ）であり、被入札者の識別情報は、オークションにおいて、入札者により入札された出品者の会員ＩＤ（被入札者ＩＤ）である。
【００３１】
被入札者ＩＤ、入札者ＩＤ、及び入札金額は、図１１又は図１２に示す、入札情報フォーマット５６又は５７に従い、オークションＤＢ２０に格納されている。図１１に示す入札情報フォーマット５６は、オークションの一開催期間（この実施形態では、当日の午前８時から明くる日の午前５時までとしているが、任意の期間を設定可能）における、特定の被入札者についての、被入札者ＩＤ、過去の入札金額のうち最高値で入札した入札者の入札者ＩＤ、及び対応する入札金額の最高値を格納するようになっている。一方、図１２に示す入札情報フォーマット５７は、オークションの一開催期間における、特定の被入札者についての、被入札者ＩＤ、入札したすべての入札者について入札者ＩＤ、及び各入札者の入札金額を格納するようになっている。
【００３２】
落札情報ＤＢ２１は、落札者ＩＤと、被落札者ＩＤと、落札者が提示した被落札者に対する落札金額と、落札年月日とを格納する。図１３に、格納される落札情報フォーマット５８の一例を示す。
【００３３】
会員書込みＤＢ２２は、会員書込みデータを格納する。会員書込みデータは、会員（非出品者を含む）が、図６に示すホームページで「掲示板」を選択して、バーチャル掲示板を開き、その掲示板にオークションについての感想などを書き込んだものである。
【００３４】
メッセージＤＢ２３は、サーバ装置１から、クライアント装置３ａ、３ｂ、４ａ、４ｂに送信する定型のメッセージ群を格納してある。メッセージ群は、必要なときに後に説明するメッセージ処理部１６により適宜選択され、クライアント装置３ａ、３ｂ、４ａ、４ｂに送信される。
【００３５】
WebＤＢ２４は、クライアント装置３ａ、３ｂ、４ａ、４ｂで表示するデータのうち、会員情報、出品者情報、入札情報、或いは落札情報など変化するデータ以外の、表示画面を構成する文字・画像データなど定型のデータを格納する。
【００３６】
登録処理部１２は、出会いを希望する者のクライアント装置３ａ、３ｂ、４ａ、４ｂから送信された会員登録用会員情報をチェックし、適合すれば出会いを希望する者を会員として登録する処理と、登録された会員の会員情報を会員情報ＤＢに格納する処理とを行う。
【００３７】
オークション処理部１３は、会員のクライアント装置３ａ、３ｂ、４ａ、４ｂからのオークション選択要求により出品者情報を送信する処理を行う。例えば、オークション処理部１３は、クライアント装置３ａ、３ｂ、４ａ、４ｂのモニタ（表示手段）が図８に示す出品者情報について出品者一人ずつ、かつ出品者一人あたり所定の時間継続して表示させ続けられるように、出品者情報を送信する。または、オークション処理部１３は、最初に、図７に示すハイパーテキストで表示された出品者情報の一覧を会員のクライアント装置３ａ、３ｂ、４ａ、４ｂに送信し、その後、出品者情報の一覧を基に会員が一人の出品者を選択したときに選択された出品者の詳細な情報（図８に示すハイパーテキストで表示された画面）を送信するようにしてもよい。
【００３８】
さらに、オークション処理部１３は、オークション選択要求を行う会員が男性の場合、女性の出品者情報を選択して送信し、オークション選択要求を行う会員が女性の場合、男性の出品者情報を選択して送信する。または、男女を問わず友人を作りたいことを希望する会員に対しては全出品者情報を送信するようにしてもよい。なお、男・女会員の検索を容易にするため、会員ＩＤについて、例えば、男性を偶数或いは奇数とし、女性を奇数或いは偶数とすることが好ましい。
【００３９】
さらに、オークション処理部１３は、オークションにおいて、会員情報を基に入札者と被入札者の相性の適合・不適合をチェックし、適合した入札者だけに入札を認める処理を行う。
【００４０】
また、入札者のクライアント装置３ａ、３ｂ、４ａ、４ｂから送信された被入札者ＩＤ及び入札金額を、入札者ＩＤとともにオークションＤＢ１９に格納する処理を行う。このとき、次のいずれかの方法により格納する。一つは、図１１のフォーマット５６に従い、同一の被入札者に対する入札金額が最高値であった場合に当該入札金額を当該最高値に更新し、かつ入札者ＩＤを当該最高値を提示した入札者の入札者ＩＤに更新して、格納する方法である。他の一つは、図１２のフォーマット５６に従い、同一の被入札者に対するすべての入札者、及び対応する入札金額を逐次格納する方法である。
【００４１】
また、オークション処理部１３は、オークションの一開催期間が経過した後において、落札者、被落札者、及び落札金額を決定する処理を行う。すなわち、オークション期間内において、被入札者に対する入札金額の最高値であって、被入札者が提示した希望落札金額を越える金額で入札した入札者を落札者と決定し、その落札者によって入札された被入札者を被落札者と決定し、落札者が提示した被落札者に対する入札金額の最高値を落札金額と決定する。このようにして決定された落札者の落札者ＩＤ、被落札者の被落札者ＩＤ、落札金額、及び落札年月日（落札者を決定した年月日）を落札情報ＤＢ２０に格納する処理と、落札者のクライアント装置３ａ、３ｂ、４ａ、４ｂに被落札者ＩＤ及び落札金額を送信する処理と、被落札者のクライアント装置３ａ、３ｂ、４ａ、４ｂに落札者ＩＤ及び落札金額を送信する処理とを行う。
【００４２】
さらに、オークション処理部１３は、会員情報である入札展示日数に基づき出品者に係るオークションへの展示期間を管理する処理を行っており、特定の出品者について入札展示日数に相当する展示期間中は展示し、当該展示期間が経過した後に展示を止める。展示期間中は、毎日入札の対象となる。展示期間は、図６のホームページの「更新」を選択して図９と同様な、既にデータが書き込まれた会員情報更新フォーマットを開き、入札展示日数を更新することで、いつでも更新することができる。「展示可否」欄に×を書き込むことで、当該オークションの次のオークションから会員情報は展示されなくなる。
【００４３】
落札情報リスト作成処理部１４は、落札情報ＤＢ２０から被落札者ＩＤ、落札者ＩＤ、落札金額、及び落札年月日を読み出してリストを作成する処理を行う。
【００４４】
会員書込み処理部１５は、会員によって書き込まれたメッセージを会員書込みＤＢ２１内でその会員のために確保された所定の箇所に格納する処理と、必要なときにクライアント装置３ａ、３ｂ、４ａ、４ｂに送信し、モニタに表示させるために会員書込みＤＢ２１から読み出す処理とを行う。
【００４５】
メッセージ処理部１６は、会員或いは非会員のクライアント装置３ａ、３ｂ、４ａ、４ｂに送信し、モニタに表示させるためにメッセージＤＢ２２から適宜必要なメッセージを読み出す処理を行う。
【００４６】
Webデータ生成部１７は、クライアント装置３ａ、３ｂ、４ａ、４ｂのモニタに表示させるために必要な、メッセージＤＢ２３或いはWebＤＢ２４に格納された定型のデータ、及びその他のＤＢ１９及び２２に格納された会員情報、出品者情報、入札者情報、或いは落札情報など変化するデータを読み出す処理を行う。
【００４７】
検索処理部１８は、他の処理部１２乃至１６及びWebデータ生成部１７から検索要求されたデータについてＤＢ１９乃至２４内を検索し、他の処理部１２乃至１６及びWebデータ生成部１７に検索結果を与える。
【００４８】
（クライアント装置（ＰＣ、ＰＤＡ）の構成）
クライアント装置（ＰＣ、ＰＤＡ）は、図３（ａ）に示すように、Webブラウザ３２、電子メーラ３３などを備えた制御部３１と、アプリケーションプログラムやデータを格納する書き換え可能なＲＡＭ(Random Access Memory)３４、管理プログラムを格納した読み出し専用のＲＯＭ(Read Only Memory)３５、ＯＳ(Operating System)、アプリケーションプログラムやデータを格納する書き換え可能なＨＤＤ(Hard Disk Drive)３６などの記憶装置とを備えている。また、制御部３１や記憶装置と入出力装置３９、４０との間でデータなどの交換制御を行う入出力制御インターフェース（入出力制御ＩＦ）３８と、出会いを希望する者の会員登録用会員情報、オークション選択要求、又は、入札者ＩＤ、被入札者ＩＤ及び入札金額などの情報をサーバ装置１に送信し、サーバ装置１から送信された情報を受信するための通信制御を行う通信制御インターフェース（通信制御ＩＦ（送信手段及び受信手段））３７とを備えている。これらは内部バスを介して相互に接続され、データなどの交換を行う。さらに、クライアント装置（ＰＣ、ＰＤＡ）は、通信制御ＩＦ３７を介してネットワーク２に接続される。
【００４９】
さらに、入出力制御ＩＦ３８にＵＳＢ端子などを介して接続された入出力装置３９、４０を備えている。入力装置３９は、キーボード、スキャナ及びデジタルカメラのメモリカードなどが挙げられる。出力装置４０は、液晶モニタや、プリンタなどが挙げられる。
【００５０】
（クライアント装置（携帯電話）の構成）
クライアント装置（携帯電話）４ａ、４ｂは、図３（ｂ）に示すように、プログラムに従って処理を制御するＣＰＵで構成される処理部４１を有し、処理部４１に、プログラムやデータを記憶する記憶部４２と、操作ボタンなどで構成される操作部４３と、デジタル撮影を行うカメラ４４と、音声を入力するマイクロフォン４５と、液晶モニタなどの表示部４６と、音声出力であるスピーカ４７とが接続される。また、記憶部４２と接続され、ネットワーク２との間で通信制御を行うデータ交換部４８を有する。ネットワーク２は、例えば、パケット網、iモードセンタ、インターネットなどを含む。
【００５１】
クライアント装置（携帯電話）４ａ、４ｂは、データ交換部４８を介してネットワーク２との間でデータ交換を行う。
【００５２】
以上のように、本発明の第１の実施の形態の出会い支援システムによれば、出会い支援の主宰者が管理するサーバ装置は、入札金額に基づき落札者、被落札者、及び落札金額を決定する処理と、落札者のクライアント装置に被落札者への連絡情報を送信する処理とを行うオークション処理部を備えている。したがって、出会いの相手として自分が気に入った人をオークションにより自分の意思で選択することができ、また、口下手で、自己ＰＲの苦手な人でも、スピーディに、１対１で出会いの機会を得ることができる。
【００５３】
しかも、相手への希望、好みのタイプを格納した会員情報ＤＢを有し、オークション処理部は、会員情報を基に入札者と被入札者の相性の適合・不適合をチェックし、適合した入札者についてだけ入札を認める処理を行っているため、自分が気に入った人で、かつ自分との相性がよい人を選択することができる。したがって、交際を長続きさせて、結婚など最終目的に至る確率を高めることができる。
【００５４】
（第２の実施の形態）
図１乃至図１３を参照して、本発明の第２の実施形態に係る出会い支援システムを利用した出会い支援方法について以下に説明する。
【００５５】
図１乃至図１３のうち、既に説明した図１乃至図３、図１０乃至図１３を除き、図４は、会員登録方法について示す通信シナリオである。図５は、オークション（競争入札）により出会いの相手を決める方法について示す通信シナリオである。
【００５６】
図６は、クライアント装置の表示画面に表示されるホームページ（ＨＰ）の概略図である。図７は、クライアント装置のモニタに表示される、オークションにおける全出品者の一覧情報である。図８は、クライアント装置のモニタに表示される、オークションにおける出品者一人の詳細情報である。図９は、クライアント装置のモニタに表示される、会員登録用会員情報フォーマットである。
【００５７】
（会員登録方法）
最初に、図１乃至図４、図６、図９、及び図１０を参照して会員登録方法について説明する。
【００５８】
出会いを希望する者のクライアント装置３ａ、３ｂ、４ａ、４ｂを、ネットワーク２を介してサーバ装置１と接続する。
【００５９】
次いで、クライアント装置３ａ、３ｂ、４ａ、４ｂから出会い支援サイトにアクセスし(SA11, SA12)、図６に示すハイパーテキストで表示されたホームページ５１をモニタに表示させる(SA13, SA14)。
【００６０】
この場合、非会員はすぐに登録せずに、ホームページ５１の「オークション」を選択し、オークションの出品者や、オークションのやり方などオークションの雰囲気を体験することができる。また、「掲示板」を選択してバーチャル掲示板を開き、会員がこの出会い支援サイトをどのように感じているか、会員の生の声を聞くことができる。これらは、会員として登録しても問題ないかどうかを判断する材料となる。
【００６１】
次に、ホームページ５１内の「登録」を選択する(SA15)と、図９の登録フォーム（会員登録用会員情報フォーマット）５４の送信要求がサーバ装置１に送信される(SA16)。これを受信したサーバ装置１からは、登録フォーム５４がクライアント装置３ａ、３ｂ、４ａ、４ｂに送信され(SA17)、表示される(SA18)。
【００６２】
次いで、出会いを希望する者によって登録フォーム５４に必要事項（会員登録用会員情報）が書き込まれ(SA19)、サーバ装置１に送信される(SA20)。
【００６３】
次に、サーバ装置１は出会いを希望する者の登録用会員情報を基に必要事項が記載してあるかどうか、及び登録データの真偽をチェックする。問題がなければ出会いを希望する者を会員として登録するとともに、登録された会員の会員情報をサーバ装置１の会員情報ＤＢ１９に格納する(SA21)。なお、主宰者は、出会いを希望する者を会員として登録する前に、登録用会員情報のチェックに加えて出会いを希望する者の身分証明書をＦＡＸ、電子メールその他の手段を利用して送付してもらい、身元を確かめることも可能である。このようにすることで、さらにこのシステムの安心・安全を高めることができる。
【００６４】
次いで、サーバ装置１からクライアント装置３ａ、３ｂ、４ａ、４ｂに会員ＩＤが送信されて、クライアント装置３ａ、３ｂ、４ａ、４ｂのモニタ（出力装置）５０に表示される。
【００６５】
以上により、会員登録が完了する。
【００６６】
（オークション（競争入札）により出会いの相手を決める方法）
次に、図１乃至図３、図５乃至図８、図１１乃至図１３を参照してオークションにより出会いの相手を決める方法について説明する。
【００６７】
図５に示すように、まず、会員のクライアント装置３ａ、３ｂ、４ａ、４ｂから出会い支援サイトへの接続要求を行い（SB11）、サーバ装置１にホームページ（ＨＰ）データ送信要求を送信する（SB12）。これに応じて、サーバ装置１から会員のクライアント装置３ａ、３ｂ、４ａ、４ｂにホームページ５１が送信され（SB13）、モニタに表示される（SB14）。
【００６８】
なお、会員は、オークションを始める前に、ホームページ５１の「掲示板」を選択してバーチャル掲示板を開き、これまで体験したオークションの感想や、体験から得た決意表明などを書き込むことができる。また、会員情報が現状にそぐわなくなっている場合などには、ホームページ５１の「更新」を選択して、図９と同様な会員情報更新フォーマットを開き、前に書き込まれたデータを更新することができる。
【００６９】
次いで、会員は、ホームページ５１上の「オークション」を選択し（SB15）、サーバ装置１に出品者情報の送信要求を送信する（SB16）。サーバ装置１の検索処理部１８は会員情報ＤＢ１９を検索し、会員情報のうちからオークションへの展示を希望する会員の会員情報を出品者情報として抽出し、その検索結果をオークション処理部１３に与える。このとき、検索処理部１８はオークション選択要求を行う会員が男性の場合、女性の出品者情報を抽出し、オークション選択要求を行う会員が女性の場合、男性の出品者情報を抽出する。
【００７０】
この検索結果を基に、オークション処理部１３は会員情報ＤＢ１９から出品者情報を読み出し（SB17）、Webデータ生成部１７は、表示に必要な他の文字・画像データを読み出して出品者情報の一覧とともに、図７に示すWebデータを生成する。続いて、このWebデータをサーバ装置１からクライアント装置３ａ、３ｂ、４ａ、４ｂに送信し（SB18）、会員のクライアント装置３ａ、３ｂ、４ａ、４ｂにハイパーテキストで表示させる（SB19）。
【００７１】
次に、出品者情報を基に出品者のうちから一人を選択し（SB20）、その出品者の詳細情報を送信するよう要求する（SB21）。
【００７２】
次いで、サーバ装置１の検索処理部１８は会員情報ＤＢ１９を検索し、当該出品者詳細情報を抽出し、その検索結果をオークション処理部１３に与える。オークション処理部１３は検索結果を基に会員情報ＤＢ１９から当該出品者詳細情報を読み出す（SB22）。Webデータ生成部１７は、表示に必要な他のデータを読み出して当該出品者詳細情報とともに、図８に示すWebデータを生成した後、サーバ装置１から会員のクライアント装置３ａ、３ｂ、４ａ、４ｂに送信し（SB23）、図８のフォーマットをハイパーテキストで表示させる（SB24）。会員は、相手を気に入らなければ、何度でも、必要な手順（SB19乃至 SB24）を繰り返し、気に入った相手を探す。
【００７３】
気に入った相手が見つかったら、図８の表示画面の「入札」をクリックして入札要求を行い（SB25）、サーバ装置１に入札画面送信要求を送信する（SB26）。サーバ装置１は、会員情報のうち、年齢、血液型、身長、未婚・既婚の別、趣味、特技、容姿、自己ＰＲ、相手への希望、好みのタイプなどの情報を基に、入札者と被入札者の相性をチェックする（SB27）。
【００７４】
例えば、被入札者のプロフィールが入札者の希望事項、例えば、相手への希望、好みのタイプなどに合致しない場合、或いは、逆に、入札者のプロフィールが被入札者の希望事項と合致しない場合、相性が不適合と判断する。相性の適合・不適合の判断は、判断基準に適当な許容範囲を設定することで現実的に行うようにすることが望ましい。例えば、入札者が身長１７０ｃｍ以上の被入札者を希望するとき、被入札者の身長が１６９ｃｍしかなかった場合でも、適当な許容範囲を設定して、適合と判断することができる。
【００７５】
その結果、相性が不適合であれば、会員のクライアント装置３ａ、３ｂ、４ａ、４ｂに入札不許可通知を送信し（SB28）、モニタに表示させる（SB29）。相性が不適合の場合、会員は必要な手順（SB19乃至 SB24）を繰り返し、再度気に入った相手を探し、入札要求を行い（SB25）、サーバ装置１に入札画面送信要求を送信する（SB26）。
【００７６】
一方、相性が適合すれば、会員のクライアント装置３ａ、３ｂ、４ａ、４ｂに入札許可通知及び入札画面を送信し（SB30）、モニタに表示させる（SB31）。
【００７７】
次に、入札者として認められた会員は入札画面に入札金額を書き込み（SB32）、サーバ装置１に送信する（SB33）。
【００７８】
次いで、入札者のクライアント装置３ａ、３ｂ、４ａ、４ｂから送信された被入札者ＩＤ及び入札金額を、入札者ＩＤとともにサーバ装置１のオークションＤＢ２０に格納する。データは図１１又は図１２のフォーマットで格納する。
【００７９】
オークションの一開催期間、例えば当日の午前８時から明くる日の午前５時までの間に、出会いを希望する会員は必要な手順（SB19乃至 SB24）を行う。その結果、一人の出品者（被入札者）に対し、複数の入札者が入札したとする。当該被入札者に対する入札者及び入札金額は、図１２のフォーマットに従い、逐次格納される（SB34）。或いは、被入札者に対する入札者及び入札金額は、図１１のフォーマットに従い、入札金額の最高値を提示した入札者及び当該最高値に逐次更新される（SB34）。
【００８０】
次に、オークションの一開催期間の経過後において（SB35）、サーバ装置１のオークション処理部１３は、一人の被入札者に対する入札金額の最高値であって、被入札者が提示した希望落札金額を越える金額で入札した入札者を落札者とし、最高値で入札された当該被入札者を被落札者とし、当該被入札者に対する入札金額の最高値を落札金額として決定する。そして、落札者ＩＤ、被落札者ＩＤ、落札金額、及び落札年月日をサーバ装置の落札情報ＤＢ２１に図１３に示すようなフォーマットで格納する（SB36）。なお、入札金額が最高値であっても、被入札者が提示した希望落札金額を越えていない場合は、落札者とは認められず、再度、オークションをやり直すことになる。
【００８１】
次いで、落札者のクライアント装置３ａ、３ｂ、４ａ、４ｂに被落札者ＩＤ及び落札金額を送信し（SB37）、モニタに表示させる（SB38）とともに、被落札者のクライアント装置３ａ、３ｂ、４ａ、４ｂに落札者ＩＤ及び落札金額を送信し（SB39）、モニタに表示させる（SB40）。
【００８２】
この手順（SB34乃至SB40）を、所定の展示期間中に落札されたすべての被落札者について行う。サーバ装置１は、落札者ＩＤ、被落札者ＩＤ、落札金額、及び落札年月日のリストを作成する（SB41）。
【００８３】
次に、落札者は銀行振り込み、郵送などにより、落札金額を主宰者に送金するとともに、落札金額送金完了報告を送信する（SB42）。主宰者が入金を確認した（SB45）後、被落札者への連絡情報（被落札者の電子メールアドレスなど）や、被落札者のより詳しいプロフィールを落札者に送信し（SB44）、落札者のクライアント装置３ａ、３ｂ、４ａ、４ｂのモニタに表示させる（SB45）。なお、落札後直ちに、被落札者が自分の電子メールアドレスなどを落札者に教えることを希望しない場合、サーバ装置１は落札者に被落札者の電子メールアドレスなどを教えずに、サーバ装置１によってメール交換などを仲介する旨を通知する。これにより、落札者・被落札者が相互に連絡を取り合えるようになる。
【００８４】
以上のように、本発明の第２の実施の形態に係る出会い支援方法によれば、被入札者に対する入札金額の最高値で入札した入札者を落札者とし、最高値で入札された被入札者を被落札者（出会いの相手）として決定する手順と、落札者のクライアント装置に出会いの相手への連絡情報を送信する手順とを有する。したがって、出会いの相手として自分が気に入った人をオークションにより自分の意思で選択することができ、しかも、多少口下手で、自己ＰＲの苦手な人でも、スピーディに、１対１で出会いの機会を得ることができる。
【００８５】
しかも、相手への希望、好みのタイプを格納した会員情報ＤＢを有し、会員情報を基に入札者と被入札者の相性の適合・不適合をチェックし、適合した入札者についてだけ入札を認める処理を行っているため、自分が気に入った人で、かつ自分との相性がよい人を選択することができる。したがって、交際を長続きさせて、結婚など最終目的に至る確率を高めることができる。
【図面の簡単な説明】
【００８６】
【図１】本発明の第１の実施の形態に係る出会い支援システムの全体の構成を示す構成図である。
【図２】図１の出会い支援システムのうちサーバ装置の構成を示すブロック図である。
【図３】（ａ）は、図１の出会い支援システムのうちクライアント装置（ＰＣ、ＰＤＡ）の構成を示すブロック図である。（ｂ）は、同じくクライアント装置（携帯電話）の構成を示すブロック図である。
【図４】本発明の第２の実施の形態に係る会員登録方法について示す通信シナリオである。
【図５】本発明の第２の実施の形態に係る競争入札（オークション）により出会いの相手を決める方法について示す通信シナリオである。
【図６】本発明の第２の実施の形態に係る出会い支援方法におけるホームページ（ＨＰ）を表示するクライアント装置の表示画面の概略図である。
【図７】本発明の第２の実施の形態に係る出会い支援方法における競争入札（オークション）における全出品者の一覧情報を表示するクライアント装置の表示画面である。
【図８】本発明の第２の実施の形態に係る出会い支援方法における競争入札（オークション）における出品者一人の情報を表示するクライアント装置の表示画面である。
【図９】本発明の第２の実施の形態に係る出会い支援方法における会員登録用フォーマットのクライアント装置の表示画面である。
【図１０】本発明の第２の実施の形態に係る出会い支援方法における会員情報データベース（会員  情報ＤＢ）に格納された会員情報を示す図である。
【図１１】本発明の第２の実施の形態に係る出会い支援方法におけるオークションデータベース（オークションＤＢ）に格納された入札情報を示す図（その１）である。
【図１２】本発明の第２の実施の形態に係る出会い支援方法におけるオークションデータベース（オークションＤＢ）に他の形式により格納された入札情報を示す図（その２）である。
【図１３】本発明の第２の実施の形態に係る出会い支援方法における落札者・被落札者データベース（落札者・被落札者ＤＢ）に格納された落札情報を示す図である。
【符号の説明】
【００８７】
１…サーバ装置、２…ネットワーク、３ａ、３ｂ…クライアント装置（ＰＣ、ＰＤＡ）  、４ａ、４ｂ…クライアント装置（携帯電話）、１１、３１…制御部、１２…登録処理  部、１３…オークション部、１４…落札者・被落札者リスト作成処理部、１５…会員書  込み処理部、１６…メッセージ処理部、１７…Webデータ処理部、１８…検索処理部、  １９…会員情報ＤＢ、２０…オークションＤＢ、２１…落札者・被落札者ＤＢ、２２…  会員書込みＤＢ、２３…メッセージＤＢ、２４…WebＤＢ、２５、３７…通信制御ＩＦ  、３２…Webブラウザ、３３…電子メーラ、３４…ＲＡＭ、３５…ＲＯＭ、３６…ＨＤ  Ｄ、３８…入出力制御ＩＦ、３９…入力装置、４０…出力装置、４１…処理部、４２…  記憶部、４３…操作部、４４…カメラ、４５…マイクロフォン、４６…表示部、４７…  スピーカ、４８…データ交換部、５１…ホームページ、５２…出品者一覧ページ、５３  …出品者詳細情報ページ、５４…会員登録用会員情報フォーム、５５…会員情報格納フ  ォーマット、５６…入札情報格納フォーマット(その１)、５７…入札情報格納フォー  マット(その２)、５８…落札情報格納フォーマット。
【図１】
2009064245.tif 000003
【図２】
2009064245.tif 000004
【図３】
2009064245.tif 000005
【図４】
2009064245.tif 000006
【図５】
2009064245.tif 000007
【図６】
2009064245.tif 000008
【図７】
2009064245.tif 000009
【図８】
2009064245.tif 000010
【図９】
2009064245.tif 000011
【図１０】
2009064245.tif 000012
【図１１】
2009064245.tif 000013
【図１２】
2009064245.tif 000014
【図１３】
2009064245.tif 000015